Podtech/llm-jp-corpus-v4-ja_patent huggingface dataset:
(57)【要約】【課題】  本考案は、肛門内括約筋と痔核脱出押え弁との相乗作用を利して、痔核脱出の従来処方の核脱出によつて発生する不便さ、痛み等を、改善しようとするものである。【解決手段】  本考案は、半円球１Ａと、半円錐１Ｂの合体形成の円錐球１にネジ止め連結された連結棒２が、核脱出押え込み円板３と、若干の、間隙４を設け、連結棒２と核脱出押え込み円板３が、自在に体の動作に対応するよう連結され、全体に一体として構造され、痔核脱出の押え込みを、可能にしている。【選択図】    図２
0003104714.tif 000002
【実用新案登録請求の範囲】
【請求項１】
挿入円錐球と痔核脱出防止のための核押え込み円板を設け、その２点間を接続する連結棒があり、核押え込み円板と接触する部分には、若干の間隙を設け、自在連結し、一体構造として、肛門内に装着した時に、肛門内括約筋の閉縮作用が、円錐球面に引付作用し、核押込み円板が、脱出核を押え込むことを特徴とする、痔核脱出押え弁。
【考案の詳細な説明】
【考案の詳細な説明】
【技術分野】
【０００１】  本考案は、痔核の脱出を押え込むため、円錐球、連結棒、痔核押え込む円板を、一体構造とした、痔核脱出押え弁に関するものである。
【背景技術】
【０００２】  内痔核の脱出に於いて、従来、鎮痛剤軟膏薬等により、その脱出を、少なく押えるか、用手還納型は手指で押え込み、一時的に抑制していたものであるが一日に数回、前記、押え込み動作処置をくりかえしている、等の不便があり、又、痛みや違和感により、歩行困難、立つたり、座つたりの日常生活に支障を来たしていた。
【考案が解決しようとする課題】
【０００３】  核の脱出により、用手還納処置を、何回も繰り返したり、痔核脱出による歩行困難、痛み等を抑えるため、本考案は、肛門内に円錐球と連結棒を介した、痔核脱出押え込み円板を、一体構造として、肛門内に装着し、肛門括約筋との相乗作用を利して、自動的に、痔核の脱出を、長時間、押え込み、従来の不便さや、問題点を、解決しようとするものである。
【課題を解決するための手段】
【０００４】  本考案は、円錐球と連結棒と、自在に取付けた、痔核押え込み円板からなる一体構造のもので、肛門内に本考案の円錐球を挿入し、連結棒を経て、半自在式に、接続した痔核押え込み円板が脱出した痔核を用手還納すると同様に本考案の痔核脱出押え込み円板が、継続して、円錐球の球面に対し、常に、腸内に引付けようと働いているので、括約筋の閉縮作用と相俟つて、痔核脱出押え込み円板は、常に、直腸内に引付けられ、還納状態を継続維持し、従来の問題点を解決している。
【考案を実施するための最良の形態】
【０００５】  本考案は、肛門括約筋の収縮性と、肛門内に挿入する一体構造である、円錐球、連結棒、自在式に取付けた痔核押え込み円板の相乗作用により、痔核の脱出を押え込むもので、円錐球を肛門内に挿入装着するとき、挿入摩擦をやわらげるため、軟膏薬、又は、衛生的な、油を塗布し、括約筋より腸内部に装着位置せしめ、円錐球が肛門括約筋と円錐球面の収縮作用で、肛門より腸内方向に引付けられ、自在に取付けた痔核押え込み円板が、痔核の脱出を、継続的に押え込むものである。
【実施例】
【０００６】  以下、添付図面に従って一実施例を説明する。肛門ａに向って、図４に示す矢印方向に、本考案の痔核脱出押え弁の挿入先端部より押入装着する。本体の素材質は木材、硬質、又は、軟質のプラスチック材、各種、軽重金属等により成型可能である。円錐球１の半面は、半円錐球、その半面は、半円球の合体球で構成され、その作用は半円球１Ａの球面に対して、肛門内ａの括約筋ｄの開閉作用の相乗効果を利することを特徴としている。本考案の痔核脱出押え込み円板３は、挿入後は、常時、腸内部に引付けられる、依つて、その引力が連結棒２を介して、押え込み円板３に伝わり、脱出核ｂを還納する。連結棒２はネジ付ボルト皿ビスを用い、円錐球１の中心末端よりネジ込み固定される、更に、連結する押え込み円板３は連結棒２と接続する部分に、若干の、間隙４を設けて、半自在に取付け、使用時の違和感を少なくしている。
【考案の効果】
肛門ａ内に挿入された円錐球１は括約筋ｄの閉縮作用により、連結棒２を経て自在に連結された痔核押え込み円板３は継続的に、用手還納している状態を維持するので患者は、何回も還納処置を繰り返すことなく、歩行困難、核脱出による痛み等を癒し日常の活動を容易にして、従来にない効果を出している。
【図面の簡単な説明】
【図１】本考案の痔核脱出押え弁の正面図である。
【図２】本痔核脱出押え弁の断面図である。
【図３】本痔核脱出押え弁の斜視図である。
【図４】本痔核脱出押え弁の装着直前略図。
【図５】本痔核脱出押え弁の装着実施説明の略図
【符合の説明】
１  円錐球で半円球、１Ａと半円錐球、１Ｂとの合体。
２  連結棒でネジ付皿ビス型ボルト
３  押え込み円板
４  間隙
５  軟膏保留縦溝
６  挿入部先端部
ａ  肛門
ｂ  脱出核
ｃ  直腸
ｄ  内肛括約筋
ｅ  還納核で収納された核
【図１】
0003104714.tif 000003
【図２】
0003104714.tif 000004
【図３】
0003104714.tif 000005
【図４】
0003104714.tif 000006
【図５】
0003104714.tif 000007
(57)【要約】【課題】  農業副産物などを炭化させる際に生じる煙等を大幅に低減させることができるような、コンパクトな炭化炉を提供する。【解決手段】  略ドラム缶状炭化炉本体１の側部より上下両端が解放状の横Ｔ字状煙突２を形成し、横Ｔ字状煙突２の下端開口部において、噴出性火炎生成具３をその火炎が煙突内部に向くように、かつ空気流入を妨げないように、取り付けないし取り付け可能状にセットする。【選択図】  図１
0003104712.tif 000002
【実用新案登録請求の範囲】
【請求項１】
略ドラム缶状炭化炉本体の側部より上下端が解放状の横Ｔ字状煙突を形成し、該横Ｔ字状煙突の下端開口部において、噴出性火炎生成具をその火炎が煙突内部に向くように、かつ空気流入を妨げないように、取り付けないし取り付け可能状にセットしたことを特徴とする消煙脱臭型炭化炉。
【考案の詳細な説明】
【技術分野】
【０００１】  この考案は、農業廃材や生ごみなどを小規模に炭化させるのに適した煙や悪臭を伴わないコンパクトなドラム缶状の炭化炉に関する。
【背景技術】
【０００２】  農作物廃材、草木枝葉、或いは生活廃材などの廃棄用有機物を単に焼却するのでなく、蒸し焼きにしてこれを炭化させ、得られる炭化物を吸着材や固形燃料などにして有効利用をはかる試みがなされており、これに適した炭化炉の形態として、コンパクトなドラム缶状のものを本考案者は既に特許出願して提案済みである（特許公開２００３−１３０６８）。
【考案の開示】
【考案が解決しようとする課題】
【０００３】  このようなドラム缶状の炭化炉は既にある程度の成果をあげているが、一方、煙突から排出される煙と臭いを消去することが重要な課題となってきた。そのための消煙具も本考案者は既に具体的なものを提案しているが、かかる吸着性カートリッジ類には吸着後の再生や取り替え、或いは耐熱性などの点で問題点を抱えているため、更に進んで、煙等の生成を根本から無くすような簡便な炭化炉の出現が切に望まれていた。【０００４】  本考案はかかる現状から、農業副産物などを炭化させる際に生じる煙等を大幅に低減させることができるような、コンパクトな炭化炉を提供することを課題とする。
【課題を解決するための手段】
【０００５】  略ドラム缶状炭化炉本体１の側部より上下両端が解放状の横Ｔ字状煙突２を形成し、横Ｔ字状煙突２の下端開口部において、噴出性火炎生成具３をその火炎が煙突内部に向くように、かつ空気流入を妨げないように取り付ける。なおここで言う略ドラム缶状とは、実際のドラム缶の形状をアレンジし、或いは容量を変えたものをも意味するものとする。また噴出性火炎生成具３の取り付けを使用時に行なえるようにこれをセット（取り外して備えておくこと）しておいてもよい。【０００６】  ここでいう横Ｔ字状煙突２は、便宜上このように表現しているものの、その寸法比率については、典型的横Ｔ字に比べ直角分岐点からの上方部分が著しく長くなったり横方部分が短くなったりすることもあり、かかる場合や或いは円筒などの継ぎ足しによりそのようになる場合も、このように表現する意味に含まれるものとする。【０００７】  またここで用いられる噴出性火炎生成具３は、具体的にはプロパンガスバーナーのようなものが該当する。すなわち火炎自体が噴出力とともに熱風を先方に送り出し、それに伴って酸素（空気）を背後から巻き込み流入させようとする力をもっている。
【作用】
【０００８】  上記のような本考案の炭化炉における横Ｔ字状煙突２の下端解口部に取り付けた噴出性火炎生成具３に点火して炎を噴出させると、該炭化炉本体１から出てきた未燃焼の排煙はそこで十分な（発火点以上の）温度を与えられながら不足していた酸素を補給され、有機物など可燃成分は完全燃焼し横Ｔ字状煙突２の上端開口部より黒煙や臭いの無い排気として排出される。
【考案の効果】
【０００９】  本考案によれば、農業副産物やその他の炭化可能な廃材などをコンパクトな形態で排煙公害を伴うことなく炭化させることができ、小規模分散型で移動も容易な廃棄物処理装置として広く実用に供することができるという効果がある。
【考案を実施するための最良の形態】
【００１０】  図面に示したように、炭化炉本体１内には前記公開特許に示した中煙突４を設けるとともに外壁を断熱材５で覆い、下部の炊き口内には薪等に替えて大型バーナー６を設け、これに連結する５〜１０ｋｇのプロパンガスボンベ７のホースを途中で分岐して、その先に設けた小型バーナーすなわち噴出性火炎生成具３を横Ｔ字状煙突２の下端部に若干挿入するように設ける。この際、次に述べる実施例のように、下方からの空気が流入可能状とし、また点火しやすいように着脱可能状に取り付けるものとする。
【実施例】
【００１１】  上記形態のものをドラム缶を骨格ベースに製作し、プロパンガスボンベ７からの分岐ホース８は鋼管一体からなる高圧用ホースとし、分岐後にそれぞれコック９を設け、炭化炉本体１の下方側より突出形成した煙突口２Ａに繋ぐ横Ｔ字状煙突分岐管２Ｂの上方開口部に煙突管２Ｃを繋ぎ、該横Ｔ字状煙突分岐管２Ｂの下方開口部に分岐ホース８の先端に有する小型バーナーすなわち噴出性火炎生成具３を取り付ける。その際、横Ｔ字状煙突分岐管２Ｂの下方開口部を若干広げて、噴出性火炎生成具３を取り付けた後も、空気流入と点火のための十分な隙間が得られるようにする。なお噴出性火炎生成具３の取り付け部材１０は隙間性のものであることは言うまでもない。
【産業上の利用可能性】
【００１２】  既に述べたように、本考案に用いられる構成部材はいずれも既製のものを必要に応じ改造して転用することができるから製作も容易であり、廃材処理とその有効利用、およびそれに伴う排煙公害防止などのニーズが高いことから、産業上の利用可能性は十分であるといえる。
【図面の簡単な説明】
【００１３】
【図１】本考案一例の断面見取図
【符号の説明】
【００１４】  １‥‥‥炭化炉本体
２‥‥‥横Ｔ字状煙突
２Ａ‥‥‥煙突口
２Ｂ‥‥‥横Ｔ字状煙突分岐管
２Ｃ‥‥‥煙突管
３‥‥‥噴出性火炎生成具
４‥‥‥中煙突
５‥‥‥断熱材
６‥‥‥大型バーナー
７‥‥‥プロパンガスボンベ
８‥‥‥分岐ホース
９‥‥‥コック
１０‥‥‥取り付け部材
【図１】
0003104712.tif 000003
(57)【要約】【課題】      まつ毛の長さ、瞼の幅、重さに関わらず、あらゆるまつ毛に対し、美しく多様なカールを短時間で作る事ができる。【解決手段】  三次元立体曲線構造による多種類のロットにより、あらゆるまつ毛に対し美しい仕上がりのパーマを簡単に施す事ができる。また、ロットを使い分ける事により、カールの仕上がりを選択し、瞼上での多様な演出を可能とした。なお、ロットには、特殊シリコーンゴムにマイナスイオントルマリン等を混入した肌にやさしい材料を使用し、施術時間の短縮、施術の際の不快感の軽減をはかった。【選択図】    図１
0003104713.tif 000002
【実用新案登録請求の範囲】
【請求項１】
まつ毛に対してパーマを施すためのまつ毛専用ロットにおいて、三次元立体曲線構造を特徴とするまつ毛パーマ専用ロット。
【請求項２】
直線と曲線によって囲まれる半円、または、変形半円状の断面を有することを特徴とする請求項１に記載のまつ毛パーマ専用ロット。
【請求項３】
底部の幅、高さについて、片方の端部からもう片方の端部に向かって広く高くなる形状を特徴とする請求項１に記載のまつ毛パーマ専用ロット。
【請求項４】
特殊シリコーンゴムにマイナスイオントルマリン等を混入した材料を用いたことを特徴とする請求項１に記載のまつ毛パーマ専用ロット。
【請求項５】
長さ方向に沿って裏面に目盛りを有することを特徴とする請求項１に記載のまつ毛パーマ専用ロット。
【考案の詳細な説明】
【技術分野】
【０００１】  本考案は、まつ毛に対してパーマを施すために使用するまつ毛用ロットに関する。
【背景技術】
【０００２】  従来、半円柱状等の画一的なロットによりまつ毛パーマが施されていた。
【考案の開示】
【考案が解決しようとする課題】
【０００３】  半円柱状等の画一的なロットが大半であり、個々の目幅、まつ毛の長さ、瞼の重さ、希望の仕上がりに対応できるロットがなかった。【０００４】  まつ毛の生え際の湾曲に沿わない直線の形状である為、目頭から目尻までカールを均一に作ることが困難であった。【０００５】  瞼上での施術となる為、個人差はあるが不快感があり、施術時間の短縮が望まれていた。【０００６】  ロットの衛生面を考えた際、使い捨てロットはコストがかかり、ゴム等のロットでは消毒等の手間がかなりかかっていた。
【課題を解決するための手段】
【０００７】  請求項１に記載の考案は、まつ毛の生え際の湾曲、眼球の膨らみ、まつ毛の長さに対応すべく設計された三次元立体曲線構造のロットである。この形状により、無理に瞼を引き上げたりロットを押さえたりすることなく、自然に美しいカールを簡単に作ることができる。【０００８】  請求項２に記載の考案は、半円と変形半円の形状によりカールのバリエーションを増やし、上だけでなく下まつ毛のカールもより美しく簡単にすることを可能としたロットである。【０００９】  請求項３に記載の考案は、目頭に比べ目尻が長いというまつ毛の特性にあわせ、高さ、幅を変えたものである。【００１０】  請求項４に記載の考案は、シリコンロットにマイナスイオントルマリンを混入する事により、ロット上に塗布されたパーマ液を電気分解させ、浸透を良くさせるものである。トルマリンには防菌効果もあり、衛生面でも優れている。また、ロットのマイナスイオン発生効果により目の緊張感を緩和させ、施術の際の不快感を和らげる効果を持つ。【００１１】  請求項５に記載の考案は、個々の瞼の幅、左右の目の大きさの違い等に対応できるよう、必要な位置でカット可能としたロットである。カットの際には目安となるよう、ロットの裏面に等間隔の目盛りをつけている。目盛りをつける事により、異なるロットを同じ位置でカットすることも容易となる。また、使用の際左右を取り違える事のないよう、裏面にその表示を入れた。
【考案の効果】  この考案によれば、ロットの瞼への密着度が高まる三次元立体曲線構造による均一なカールの仕上がりはもちろん、多種多様なロットにより、あらゆるまつ毛に対応、瞼上で多様なまつ毛の演出が可能となる。また、マイナスイオントルマリンにより時間短縮も実現し、施術時の負担軽減に大いに役立つものである。
【考案を実施するための最良の形態】  本考案の実施の形態について図面を参照して説明する。図１にはこの考案のロットの実施形態の斜視図を示す。図１で示すロットは、マイナスイオントルマリンを混入した特殊シリコーンゴムからなる弾性体である。例えば、長さは５ｃｍとし、まつ毛の長さ等に合わせて幅、高さ等の異なる５種類のロット（Ａ、Ｂ、Ｃ、Ｄ、Ｅ）を作製する。ロットの中央となる頂点から垂直に降ろした線Ｈとロットの端部と端部を結ぶ曲線Ｌは、まつ毛の生え際に沿った形状の曲線である。図２には正面図を示す。直線Ｈは眼球に沿った曲面を持たせる為の高さであり、５ｍｍとする。図３には側面図を示す。底部ａの幅はロットＢ、Ｃ、Ｄ、Ｅについて、片方の端部からもう片方に向かって徐々に広くする。また、高さｂも同様、片方の端部からもう片方に向かって徐々に高くする。これは目頭から目尻へ向けて広く高くなる構造であり、目頭に比べ目尻が長いというまつ毛の特性にあわせたものである。ロットＡ、Ｅについては、頂点から垂直に降ろした線と底面が交わる点で底面を分割した場合、ｃ＞ｄとなる変形半円状の断面を有する。裏面にはカット用に目盛りを付ける。目盛り幅は例えば５ｍｍ間隔とする。また、左右が判別できるよう、同じく裏面に印をつける。
【実施例】  この実施形態の使用方法を、手順１から手順６にて説明する。【００１２】  手順１ではロットを選ぶ。まつ毛の長さ、瞼の重さ、上げ方に合わせて選び、瞼の幅に合わせてカットする。【００１３】  手順２では瞼にロットをのせ、まつ毛を糊でロットに貼り付け固定する。底部は眼球に沿った曲面である為、端部の浮きを押さえる必要がなく、また、まつ毛の生え際に沿った曲線を有する為、瞼を引っ張る等無理にまつ毛の生え際をロットに合わせる必要がない。つまり、瞼にのせただけの状態で、眼球の膨らみ、まつ毛の生え際にフィットする構造である。【００１４】  手順３ではまつ毛に軟化剤を塗布する。塗布後、通常３〜５分間放置する。時間経過後、軟化剤を除去する。【００１５】  手順４ではまつ毛に固定剤を塗布する。軟化剤と同等以上の時間放置する。時間経過後、きれいに除去する。【００１６】  手順５ではロットを取り除く。精製水でロットと糊を取り除く。【００１７】  手順６で仕上げる。洗浄水でまつ毛に液が残らないよう、きれいに取り除く。
【図面の簡単な説明】
【００１８】
【図１】本考案のロット５種類の斜視図である。
【図２】本考案のロット５種類の正面図である。
【図３】本考案のロット５種類の側面図である。
【符号の説明】
【００１９】ａ  ロット底部
ｂ  ロット側面部の高さ
ｃ  ロット側面の頂点から垂直に降ろした線と底部が交わる点で分割した、底部左部分の長さ
ｄ  ロット側面の頂点から垂直に降ろした線と底部が交わる点で分割した、底部右部分の長さ
Ｈ  ロットの中心点から垂直に降ろした線の長さ
Ｌ  ロットの中心点から垂直に降ろした線と、ロットの端部と端部を結んだ曲線
【図１】
0003104713.tif 000003
【図２】
0003104713.tif 000004
【図３】
0003104713.tif 000005
(57)【要約】【課題】  背負いベルトなどに簡単に装着でき、安定して確実に携帯できるとともに、防犯ブザーを収納したまま作動させることができる小物入れを提供するものである。【解決手段】  ランドセル模型の小物入れ本体１の背面２に脱着自在なホック５を介して雌雄のベルベット式ファスナー１１を具備した止着帯１０を装着し、上部に吊下げ紐７を装着し、止着帯は背負いベルト１４乃至肩掛けベルト類に巻き付け可能とし、本体底面８に防犯ブザー１２の作動スイッチとなる引張り紐１３を挿通する小孔９を穿設した。【選択図】      図４
0003104788.tif 000002
【実用新案登録請求の範囲】
【請求項１】
小物入れ本体の背面に脱着自在なホックを介して雌雄のベルベット式ファスナーを具備した止着帯を装着し、本体底面に小孔を穿設した構成を有する小物入れ。
【請求項２】
ランドセル模型の小物入れ本体の背面に脱着自在なホックを介して雌雄のベルベット式ファスナーを具備した止着帯を装着し、本体底面に防犯ブザーの作動スイッチとなる引張り紐を挿通する小孔を穿設した構成を有するランドセル模型の小物入れ。
【請求項３】
ランドセル模型の小物入れ本体の背面に脱着自在なホックを介して雌雄のベルベット式ファスナーを具備した止着帯を装着し、上部に吊下げ紐を装着し、止着帯は背負いベルト乃至肩掛けベルト類に巻き付け可能とし、本体底面に防犯ブザーの作動スイッチとなる引張り紐を挿通する小孔を穿設した構成を有するランドセル模型の防犯ブザー用の小物入れ。
【考案の詳細な説明】
【技術分野】
【０００１】
本考案は、ランドセル等の背負いバッグや肩掛けバッグなどの背負いベルト乃至肩掛けベルトに好適に着脱できる小物入れ、特に防犯ブザー用として好適な小物入れに関する。
【背景技術】
【０００２】
従来の小物入れは、ずぼんのベルト通し部を背面側に形成したもの、雌雄いずれか一方のベルベット式ファスナー乃至ホックを装着し、被装着部に装着した他方のファスナーなどに止着するように形成したものなどがある。また、収納した小物を使用する場合は、小物入れから出し入れするものであった。
【考案の開示】
【考案が解決しようとする課題】
【０００３】
本考案は、従来の小物入れに工夫を加え、小物入れを安定して確実に携帯できるとともに、簡便に装着手段を変えることができて、背負いベルトや肩掛けベルトなどに簡単に装着でき、さらに、防犯ブザーを収納したまま、これを作動することができるようにした小物入れを提供するものである。
【課題を解決するための手段】
【０００４】
上記課題を解決するために、本考案は、小物入れ本体の背面に脱着自在なホックを介して雌雄のベルベット式ファスナーを具備した止着帯を装着し、本体底面に小孔を穿設した構成を有してなる小物入れを提供する。
この小物入れは、ランドセル模型の小物入れ本体の背面に脱着自在なホックを介して雌雄のベルベット式ファスナーを具備した止着帯を装着し、本体底面に防犯ブザーの作動スイッチとなる引張り紐を挿通する小孔を穿設した構成とするのが好ましい。
ランドセル模型の小物入れ本体の背面に脱着自在なホックを介して雌雄のベルベット式ファスナーを具備した止着帯を装着し、上部に吊下げ紐を装着し、止着帯は背負いベルト乃至肩掛けベルト類に巻き付け可能とし、本体底面に防犯ブザーの作動スイッチとなる引張り紐を挿通する小孔を穿設した構成とするのもよい。
【考案の効果】
【０００５】
ホックを介して雌雄のベルベット式ファスナーを具備した止着帯を装着することにより、止着帯を所望に応じて着脱して使用することができると同時に、止着帯を巻き付け可能な部位であれば、所望の個所に小物入れを装着して使用することができ、止着は止着帯自体で雌雄係止して行うので、安定し確実な止着状態となる。本体の底面に小孔を形成してあることにより、本体内外を連通させることができて使用上の便利さを与える。好ましくは、防犯ブザーを収納し、引張れば回路を閉じてＯＮ状態とするスイッチ用の引張り紐を小孔を通して垂下させておくことができ、これを引張るだけで、素早く危険防止行動を取ることができる。小物入れをランドセル模型とすることにより、これをランドセルの背負いベルトに装着すれば、デザイン的にも好ましく、胸元の引張り紐を引くだけの素早い反応を可能にする。
【考案を実施するための最良の形態】
【０００６】
以下、本考案の一実施形態を図面とともに説明する。
図は、小物入れを小形のランドセル模型として形成してあり、その形態は公知のランドセル状構成或いは小物を収納可能な適宜構成としてよい。例えば図では、収納部本体１の背面２、背面上側から正面にまわる蓋体３、背負いベルト４などを形成するとともに、背面２内に雌雄嵌合型ホック５の雌型（又は雄型）を固着し、背面上端部付近に留め環６を介して吊下げ紐７を装着し、本体底面８内に小孔９を穿設して形成してある。
【０００７】
止着帯１０は、十分に強度を有する適宜素材からなるテープ状体（帯状片）であり、三つ折り状、四角筒状或いは円筒状などに適宜に折り畳み或いは巻き回して両端部を重合止着できるような適宜長さを有し、両先端部の内外対向面部分に、雌雄係合するベルベット式ファスナー１１をそれぞれ一体的に装着し、中央部にホック５の対となる雄型（又は雌型）を固着し、ホック５を介して本体背面２に離脱可能に止着して使用するものである。
【０００８】
本体１内には、所望のものを収納することができるが、防犯ブザー１２を収納するのが好ましい。防犯ブザーの機構は任意であり、警報方法も任意であるが、防犯警報が作動するためのスイッチには引張り紐１３が連結してあり、この紐を引張ることによって警報が作動するようにしてある。引張り紐１３は小孔９を挿通して本体から下方に垂下して使用に供される。紐先端部には抜け止めを設けるのがよい。
【０００９】
上記構成の小物入れは、例えば図４に示す如く、背負ったランドセルの背負いベルト１４の胸元付近に、止着帯１０を巻き付けて止着し、日常携帯することができる。
非常時は手を曲げればそのまま引張り紐１３を掴むことができ、素早く防犯警報を作動させることができる。
なお、上記構成は一実施例であるので、各部の構成、形状は上記記載に限定されるものではなく変更可能である。
【図面の簡単な説明】
【００１０】
【図１】本考案に係る小物入れの背面側斜視図である。
【図２】図１の止着帯を分離して示した背面側斜視図である。
【図３】図１の小物入れの底面図である。
【図４】図１の小物入れの装着状態を示す側面図である。
【符号の説明】
【００１１】
１  本体、  ２  背面、  ３  蓋体、  ４  背負いベルト、  ５  ホック、  ６  留め環、  ７  吊下げ紐、  ８  底面、  ９  小孔、  １０  止着帯、  １１  ベルベット式ファスナー、  １２  防犯ブザー、  １３  引張り紐、  １４  背負いベルト。
【図１】
0003104788.tif 000003
【図２】
0003104788.tif 000004
【図３】
0003104788.tif 000005
【図４】
0003104788.tif 000006
(57)【要約】【課題】    非磁性体である管体に永久磁石を振動子として緩挿した直線型振動発生器であっても、外部への漏磁あるいは外部に着磁体の影響を最小限に抑える。【解決手段】外周部に均一な肉厚を有する着磁体によってなる円筒形又は一方を閉塞した管体状の磁気シールドカバーを覆設する。【選択図】  図１
0003104734.tif 000002
【実用新案登録請求の範囲】
【請求項１】
一端あるいは両端に電磁石を備え非磁性体によってなる管体内に、永久磁石によってなる振動子を緩挿して、前記電磁石に交流電流あるいはパルス電流を通電し、永久磁石と電磁石の吸引力及び反発力を利用して、振動子に直線往復運動を与えて振動を得る振動発生器において、永久磁石が発する磁力の漏磁、あるいは外部の磁場の振動子への影響を最小限に抑止するために、円筒形あるいは一方を閉塞したキャップ状の断面と適度な間隙を以って前記管体内に緩挿される外径を有する、帯磁可能な物質を材料とする着磁体に永久磁石によってなる振動子を嵌入したものであることを特徴とする直線型振動発生器。
【考案の詳細な説明】
【技術分野】
【０００１】  振動発生器に関する。
【背景技術】
【０００２】  永久磁石を振動子とする直線型振動発生器において、外周部に着磁体が存在する場合には、振動子である永久磁石が外部の着磁体の影響受けて、円滑な直線的往復運動に支障をきたしたり、逆に永久磁石の磁力の漏磁によって、外部の機器を帯磁させたりする可能性は否定できない。
【特許文献１】特開２００３−２１１０８９
【０００３】  一方、磁性体の磁力の漏磁を、磁性体の近傍に配した鉄などの金属を帯磁させることによって、軽減できることは良く知られており、実際に産業界では磁気シールド材として、鉄などの金属が用いられている。【０００４】  直線型振動発生器において、振動子が内部で摺動する管体は非磁性体であるため、振動子である永久磁石の磁力漏磁は避けることができない。
【考案の開示】
【考案が解決しようとする課題】
【０００５】  非磁性体である管体に永久磁石を振動子として緩挿した直線型振動発生器であっても、外部への漏磁あるいは外部への着磁体の影響を最小限に抑える。
【課題を解決しようとする手段】
【０００６】  請求項１記載の考案は、一端あるいは両端に電磁石を備え非磁性体によってなる管体内に、永久磁石によってなる振動子を緩挿して、前記電磁石に交流電流あるいはパルス電流を通電し、永久磁石と電磁石の吸引力及び反発力を利用して、振動子に直線往復運動を与えて振動を得る振動発生器において、永久磁石が発する磁力の漏磁、あるいは外部の磁場の振動子への影響を最小限に抑止するために、円筒形あるいは一方を閉塞したキャップ状の断面と適度な間隙を以って前記管体内に緩挿される外径を有する、帯磁可能な物質を材料とする着磁体に永久磁石によってなる振動子を嵌入したものであるよう構成される。
【考案の効果】
【０００７】  本考案によって、振動子として使用される永久磁石の磁力漏磁による、周辺機器への影響や、外部磁場の振動子への影響を簡易に、なおかつ、低廉なコストを以って最小限に抑制することが実現できる。
【０００８】  また、簡易かつ単純な構造であるため、微小な寸法の製品も容易に製造可能となる。
【考案を実施するための最良の形態】
【０００９】  永久磁石からなる振動子を円筒形あるいは一方を閉塞したキャップ状の断面と適度な間隙を以って前記管体内に緩挿される外径を有する、帯磁可能な物質を材料とする着磁体に永久磁石によってなる振動子を嵌入し、永久磁石が発する磁力によって、前記着磁体を帯磁させることによって、磁気エネルギーを吸収し、外部への漏磁を最小限に抑止する。
【実施例１】
【００１０】  以下、本考案の実施の形態を図にもとづいて説明する。
図１は内部に直線往復運動をする振動子を緩挿した直線型振動発生器の一例による縦断面を示す図であって、非磁性体からなる管体１と、永久磁石からなる振動子２と、着磁体からなる磁気シールドカバー３と、界磁コイル５を有する両端の電磁石４と、取付け具６とによって構成される。【００１１】  非磁性体からなる管体１は非鉄金属あるいは樹脂などを材料にして製造、加工されたものであって、永久磁石からなる振動子２は前記管体のなかに、適度な間隙をもって緩挿され、電磁石４によって封印され、前記永久磁石からなる振動子２は鉄などの着磁体をもって製造、加工された均一な肉厚を有する管体からなる磁気シールドカバー３に嵌入される。【００１２】  非磁性体からなる管体１の内径と電磁シールドカバー３の外径の間には適度な空間を設ける。【００１３】  両端に備えられた電磁石４は、異極が対面するよう交流電流あるいはパルス電流を通電する。
【実施例２】
【００１４】  図２は実施例１に代えて、一端に永久磁石６を振動子である永久磁石２と同極が対面するよう備えられる。
【産業上の利用可能性】
【００１５】  本考案によって、振動子として使用される永久磁石の磁力漏磁による、周辺機器への影響や、外部磁場の振動子への影響を簡易に、なおかつ、低廉なコストを以って最小限に抑制することが実現できるうえ、簡易かつ単純な構造であるため、微小な寸法の製品も容易に製造可能となり、従って、狭小な取付け空間しか許されない、例えば、携帯電話機のバイブレーター等への利用が期待される。
【図面の簡単な説明】
【００１６】
【図１】  磁気シールドカバーを覆設した直線型振動発生器の一例による縦断面を示す図である。
【図２】  一端の電磁石を永久磁石に置き換えた直線型振動発生器の一例による縦断面を示す図である。
【符号の説明】
【００１７】  １  非磁性体からなる管体
２  永久磁石からなる振動子
３  着磁体からなる磁気シールドカバー３
４  電磁石４
５  界磁コイル
６  永久磁石
【図１】
0003104734.tif 000003
【図２】
0003104734.tif 000004
(57)【要約】【課題】腰痛緩和・対策に有効なランバーサポートを電車やバスによる移動中や訪問先や会議中に椅子に座る際、違和感なく簡単に利用できるようにする。【解決手段】鞄の背面にランバーサポート機能をつけることにより、普段は鞄としての利用、椅子に背もたれにおいて座ることにより腰の矯正ができ、腰痛緩和・対策の効果を発揮する。【選択図】  図２
0003104737.tif 000002
【実用新案登録請求の範囲】
【請求項１】
鞄にランバーサポート機能をつけて、電車・バスや会議中に椅子の背もたれに立てかけることにより腰痛治療・対策になる携帯用ランバーサポート機能付き鞄
【考案の詳細な説明】
【技術分野】
【０００１】
本考案は、鞄にランバーサポート機能をつけた携帯用ランバーサポートバックに関するものである。
【背景技術】
【０００２】
ランバーサポートは、腰痛治療、対策に有益であるが、固定型のものがほとんどで日常通勤や会議、旅行等の任意の場所での仕様に向くものがない。
【０００３】
この改善策として、鞄やセカンドバックの背面にランバーサポート機能を持たせ、手軽に持ち運びを可能にし、椅子の背もたれに置くだけで腰痛対策となるランバーサポートバックを考案した。
【考案の開示】
【考案が解決しようとする課題】
【０００４】
解決しようとする問題点は、腰痛緩和・対策に有効なランバーサポートを移動中や別の場所で椅子に座るときに、違和感なく簡単に利用できるようにすることである。
【課題を解決するための手段】
【０００５】
鞄やセカンドバックの背面にランバーサポート機能をつけることにより、普段は鞄としての利用、椅子に背もたれにおいて座ることにより腰の矯正ができ、腰痛緩和・対策の効果を発揮する。
【考案の効果】
【０００６】
本考案は、鞄自体がランバーサポート機能持っているため、持ち運びが便利であるとともに他人に目立つことなく電車やバスの中での腰痛緩和・対策、会社での会議中の腰痛緩和・対策、車に登場中の腰痛対策・緩和等に効果がある。
【考案を実施するための最良の形態】
【０００７】
鞄に、鞄の中身を寄りかかることによる外圧から守る保護カバーをつけ、鞄の後部にランバーサポート機能を付加することにより、日常の通勤や仕事で使う電車やバスのシート、訪問先や会議中に椅子に座る際、手持ちの鞄を椅子の背もたれに置くだけで腰痛対策・緩和対策が行えるグッズを実現した。
【実施例１】
【０００８】
図１は、ランバーサポートバッグの１実施例の断面図であって、ビジネスバッグとセカンドバックの例である。
【実施例２】
【０００９】
図２は、ランバーサポートバッグの１使用例の図で、椅子に座ったときのビジネスバックとセカンドバックの例である。
【図面の簡単な説明】
【００１０】
【図１】ランバーサポートバックの構造を示した説明図である。（実施例１）
【図２】ランバーサポートバックの使用例を示した説明図である。（実施例２）
【符号の説明】
【００１１】
１  クッション
２  腰当て部分
３  鞄の中身保護カバー
【図１】
0003104737.tif 000003
【図２】
0003104737.tif 000004
【手続補正書】
【提出日】平成16年4月8日(2004.4.8)
【手続補正１】
【補正対象書類名】実用新案登録請求の範囲
【補正対象項目名】全文
【補正方法】変更
【補正の内容】
【実用新案登録請求の範囲】
【請求項１】
鞄の背面に、腰椎が起立している状態と同様な曲線保つように凹凸（ランバーサポート機能）を付ける。椅子の背もたれに鞄の背面を正面に向け、立掛けて座ることにより腰椎が正しい曲線に強制されるランバーサポート機能付き鞄。
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
鞄の背面に、腰椎が起立している状態と同様な曲線保つように凹凸を付け、椅子の背もたれに鞄の背面を正面に向け、立掛けて座ることにより腰椎が正しい曲線に強制されるランバーサポート機能付き鞄。
(57)【要約】【課題】  この考案は，三角，四角おにぎりの角まで具材を入れた，せきそんおにぎりに関するものである。【解決手段】  ご飯▲１▼の中に，具材▲２▼を細長く角いっぱいまで入れる。【選択図】  図１
0003104740.tif 000002
【実用新案登録請求の範囲】
【請求項１】
（イ）三角または四角のおにぎりの中に角から角へ具材を細長く設ける。
以上の如く構成された，せきそんおにぎり
【請求項２】
具材▲２▼をキムチにした請求項１のせきそんおにぎり。
【考案の詳細な説明】
【考案の詳細な説明】
【技術分野】
【０００１】この考案は，どの角から食べても具材に当たる，せきそんおにぎりに関するものである。
【背景技術】
【０００２】従来，おにぎりの真ん中に具材があるため，一口目はご飯だけで具材に当たらないため不適当であった。
【考案が解決しようとする課題】
【０００３】本考案は，これらの欠点を除いて，美味しい，しかも興味あるおにぎりを開発しようとするものである。
【課題を解決するための手段】
【０００４】  今その解決手段を図面に追いながら説明すれば，
（イ）ご飯▲１▼のなかに，具材▲２▼を図１のように設ける。
（ロ）ご飯▲１▼のなかに，具材▲２▼を図２のように設ける。
（ハ）ご飯▲１▼のなかに，具材▲２▼を図３のように設ける。
以上の構成からなるせきそんおにぎりである。
【考案を実施するための最良の形態】
【０００５】本案は以上のような構造であるから，これを食べるときは，全ての角に具材がある。
【考案の効果】
【０００６】したがって，角から食べると必ず具材に当たり，興味深いおにぎりである。
【図面の簡単な説明】〔図１〕
本考案の三角おにぎり正面図
〔図２〕
本考案の四角おにぎり正面図
〔図３〕
本考案の右側面図
【符号の説明】
▲１▼ご飯
▲２▼具材
【図１】
0003104740.tif 000003
【図２】
0003104740.tif 000004
【図３】
0003104740.tif 000005
(57)【要約】【課題】オートバイのクラッチレバーをより軽く操作でき、かつギアチェンジがスムースである事。これにより交通量の多い場所でも疲れにくく安全に走行できる。【解決手段】上記問題を解決する為に、ダイアフラムスプリング３を押さえつける箇所をスプリングレートの弱い内側に変更する為に可変圧リテーナー２を新たに製作した。可変圧リテーナー２の交換により減少したスプリング圧力を補う為に、遠心力を利用して可変する２０ｇの重りをつけたＬ字型フィンガー５をリテーナー２に装着した。【選択図】    図３
0003104731.tif 000002
【実用新案登録請求の範囲】
【請求項１】
ハーレーダビッドソン社製オートバイビッグツインモデルに標準装着されているリテーナー１に代わる可変圧リテーナー２を新たに製作し、ダイアフラムスプリング３を押さえつける箇所をスプリングレートの弱い内側に変更し、ノーマルスプリング圧力を軽減する。
【請求項２】
２０ｇの重りをつけたＬ字型フィンガー５は、遠心力により外側に広がろうとする力が働きプレッシャープレート４を押さえつけることにより、減少したスプリング圧力を補う。
【考案の詳細な説明】
【０００１】
【考案が解決しようとする課題】
ハーレーダビッドソン社製オートバイビッグツインモデルのクラッチレバー操作には大きな力を必要とし、交通量の多い道路では円滑なギアチェンジが困難となる。従来、レバー操作力を軽減するクラッチ装置は存在していたが、プレッシャープレート４の稼動量が変更になる為に複雑な調整を必要とする問題を有していた。
【０００２】
【考案を解決する為の手段】
上記問題を解決する為に、ダイアフラムスプリング３を押さえつける箇所をスプリングレートの弱い内側に変更する為に可変圧リテーナー２を新たに製作した。可変圧リテーナー２の交換により減少したスプリング圧力を補う為に、遠心力を利用して可変する２０ｇの重りをつけたＬ字型フィンガー５を３箇所に装着した。
【０００３】
【考案の効果】
スプリングレートを変更することにより、ノーマル時に必要なクラッチレバー操作の圧力である２１ｋｇを１６ｋｇに軽減できる。これにより、少ない力でクラッチレバーの操作が可能となる。変更後もクラッチを切り離す構造やプレッシャープレート４の稼動量は同じなので、複雑な調整の必要なくレバー操作やギアチェンジがスムースに行える。また、高出力エンジンに装着する場合のスプリング圧力の調整は可変圧リテーナー２を変更することなく、Ｌ字型フィンガー５を６個装着することで対応できる。
【図面の簡単な説明】
【図１】リテーナーがダイアフラムスプリングを介してプレッシャープレートを押さえつける構造の斜視図である。
【図２】標準装備されているリテーナーと可変圧リテーナーの押さえ面を比較した平面図である。
【図３】リテーナー及びＬ字型フィンガーの断面図である。
【符号の説明】
１  標準装着されているリテーナー
２  可変圧リテーナー
３  ダイアフラムスプリング
４  プレッシャープレート
５  Ｌ字型フィンガー
【図１】
0003104731.tif 000003
【図２】
0003104731.tif 000004
【図３】
0003104731.tif 000005
【図４】
0003104731.tif 000006
【手続補正書】
【提出日】平成15年7月1日(2003.7.1)
【手続補正１】
【補正対象書類名】明細書
【補正対象項目名】請求項１
【補正方法】変更
【補正の内容】
【請求項１】
ハーレーダビッドソン社製オートバイに標準装着されているリテーナー１に代わる可変圧リテーナー２を新たに製作し、ダイアフラムスプリング３を押さえつける箇所をスプリングレートの弱い内側に変更し、ノーマルスプリング圧力を軽減する。
【手続補正２】
【補正対象書類名】明細書
【補正対象項目名】０００１
【補正方法】変更
【補正の内容】
【０００１】
【考案が解決しようとする課題】ハーレーダビッドソン社製オートバイのクラッチレバー操作には大きな力を必要とし、交通量の多い道路では円滑なギアチェンジが困難となる。従来、レバー操作力を軽減するクラッチ装置は存在していたが、プレッシャープレート４の稼動量が変更になる為に複雑な調整を必要とする問題を有していた。




【手続補正書】
【提出日】平成15年9月26日(2003.9.26)
【手続補正１】
【補正対象書類名】明細書
【補正対象項目名】実用新案登録請求の範囲
【補正方法】変更
【補正の内容】
【実用新案登録請求の範囲】
【請求項１】
リテーナーがダイアフラムクラッチスプリングを介してプレッシャープレートを押さえつける事によって動力を伝達する装置における、スプリング圧力を軽減するリテーナー
【請求項２】
リテーナーの円周上に配置された、回転が増すに伴ってプレッシャープレートを押さえる力も増すＬ字型フィンガー
【手続補正２】
【補正対象書類名】明細書
【補正対象項目名】図３
【補正方法】変更
【補正の内容】
【図３】リテーナー及びＬ字型フィンガーの平面図である。


【手続補正３】
【補正対象書類名】明細書
【補正対象項目名】図４
【補正方法】追加
【補正の内容】
【図４】リテーナー及びＬ字型フィンガーの断面図である。




【手続補正書】
【提出日】平成16年1月20日(2004.1.20)
【手続補正１】
【補正対象書類名】明細書
【補正対象項目名】実用新案登録請求の範囲
【補正方法】変更
【補正の内容】
【実用新案登録請求の範囲】
【請求項１】
リテーナーがダイアフラムクラッチスプリングを介してプッシャープレートを押さえつける事によって動力を伝達する装置における、スプリング圧力を軽減するリテーナーの取付構造
【請求項２】
リテーナーの円周上に配置された、回転が増すに伴ってプレッシャープレートを押さえる力も増すＬ字型フィンガーを有するリテーナー
(57)【要約】      （修正有）【課題】ファッション性のある手袋と実用的な手袋を融合させ、老若男女を問わず、多くの人に使用してもらうことにより、交通安全、事項防止を図るとともに、手袋に輪の付いた伸縮性のある紐を取り付けることで、手袋の紛失防止をする。【解決手段】光る手袋というと、ごわごわして作業場で利用するものが多く、ファッション性に非常に乏しかったので、手触りが良く、お洒落なデザイン、蛍光色にも様々な色を組み合わせる。加えて、紛失防止としての輪の付いた伸縮性の紐を取り付け、手袋の脱着を容易にする。かつ、紐の色は手袋の色に合わせたものにすることにより、問題点を解決している。【選択図】図１
0003104735.tif 000002
【実用新案登録請求の範囲】
【請求項１】
ファッション性を追求した手袋と実用的な面をもつ手袋を、両者の長所を失うことなう、融合させた。手袋の表裏に蛍光色の帯を設けて、手首の辺りから輪のついた伸縮性のある紐を取り付け、その輪に手首を通すことにより、防寒だけでなく、交通安全及び事故防止を図るとともに、紛失防止を特徴とする、ぴかぴか手袋
【考案の詳細な説明】
【技術分野】
【０００１】  本考案は、防寒だけでなく、交通安全及び事故防止を図るとともに紛失防止を特徴とする手袋に関するものである。
【背景技術】
【０００２】  手袋は、ファッションを追求したものと、実用的な面を追求したものと、大きく２つに分けられる。
【考案の開示】
【考案が解決しようとする課題】
【０００３】  ファッション性のある手袋と実用的な面をもつ二分化された手袋の融合をするとともに、両者の長所を失わないこと、紛失防止の紐をファッションの１つとして取り入れることで前述の欠点を解決しようとするものである。
【課題を解決するための手段】
【０００４】  光る手袋というと、ごわごわして作業場で利用するものが多く、ファッション性に非常に乏しかったので、手触りが良く、お洒落なデザイン、蛍光色にも様々な色を組み合わせる。加えて、紛失防止としての輪の付いた伸縮性の紐を取り付け、手袋の脱着を容易にする。かつ、紐の色は手袋の色に合わせたものにすることにより、問題点を解決している。
【考案の効果】
【０００５】  光る手袋にファッション性を取り入れ、防寒だけでなく交通安全及び事故防止の向上を図る。加えて、手首の辺りに輪の付いた伸縮性のある紐を取り付けることで、手袋の脱着が容易になり、紛失防止となる。
【考案を実施するための最良の形態】
【０００６】  輪に手首を通してから、手袋をはめる。
【実施例】
【０００７】通学や通勤だけでなく、早朝や夕方の散歩やウォーキング、ジョギング等、日常生活の中でお洒落な手袋を使うのはもったいないけど、作業用のではみっともなくて嫌だというときに使用すると良い。
【図面の簡単な説明】
【０００８】
【図１】  本考案のぴかぴか手袋の正面図である。
【符号の説明】
【０００９】  １  手袋本体
２  蛍光色部分
３  伸縮性のある紐（はめているときは邪魔にならない短さとなる）
４  手首を通す輪
【図１】
0003104735.tif 000003
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
（１）ファッション性を追求した手袋と実用的な面をもつ手袋を、両者の長所を失うことなく融合
（２）手袋の表裏に蛍光色の帯を設ける
（３）手首の辺りから輪のついた伸縮性のある紐を取り付ける
（４）その輪に手首を通すことにより、防寒だけでなく、交通安全及び事故防止を図るとともに紛失を防止
以上からなるぴかぴか手袋。
(57)【要約】【課題】製造が容易且つ装着時の気密性を効果的に高めることができる目鼻口用マスクの構造を提供する。【解決手段】濾過材による口鼻マスク部１０及びその両側に連結されるバンド１２により構成し、前記マスク部１０上縁に一体に延伸するゴーグル２０を設け、該ゴーグル２０中央に穿孔２２を設け、該ゴーグル２０外側にもバンド２４を設け、可撓性を有する透明なバイザー３０の周縁を前記穿孔２２の縁外表面或いは内表面上に粘着して貼設し、更に気密性を高めてウィルス等の進入を防止すべく可塑性を有する金属片４０を前記ゴーグル２０外周縁の延伸辺２３の所望部位の表面上に貼設した。【選択図】  図１
0003104794.tif 000002
【実用新案登録請求の範囲】
【請求項１】
濾過材により形成した口鼻マスク部及びその両側に連結するバンドを備えた目鼻口用マスクの構造において、
前記口鼻マスク部上縁に一体に延伸するゴーグルを有し、該ゴーグルの中央に穿孔を設け、このゴーグル外側にバンドを連結して、可撓性を有し且つ透明なバイザーの周縁を前記穿孔の縁の外表面或いは内表面に粘着し、並びに可塑性を有する金属片を前記ゴーグル外周縁の延伸辺における所望部位の表面上に貼設したことを特徴とする目鼻口用マスクの構造。
【請求項２】
前記バイザーは、0．05〜0．3m／m厚であることを特徴とする請求項１記載の目鼻口用マスクの構造。
【請求項３】
前記金属片は、可塑性を有し、また前記ゴーグルの延伸辺は装着した際に使用者の顔の皮膚表面に密着するよう対応したものであることを特徴とする請求項１記載の目鼻口用マスクの構造。
【請求項４】
前記バイザーの表面には、一層の二酸化チタン材料を主とする光触媒による膜を、塗布或いは鍍金により形成したことを特徴とする請求項１記載の目鼻口用マスクの構造。
【考案の詳細な説明】
【技術分野】
【０００１】
本考案は、目鼻口用マスクに係り、特に口と鼻以外に目を気密に覆うことができる目鼻口用マスクの構造に関する。
【背景技術】
【０００２】
従来知られている目鼻口用マスクの構造としては、例えば台湾特許第290870号公報に記載の「簡易目鼻口用マスク」が提案されており、この簡易目鼻口用マスクは、主に口と鼻用のマスク及び二つの透明且つ薄い材質によるグラス部とにより構成されている。
【特許文献１】台湾特許  第290870号公報
【考案の開示】
【考案が解決しようとする課題】
【０００３】
上述のような従来の目鼻口用マスクの構造における欠点としては、二つのグラス部の周縁を軟性の布帯を利用して、ミシンで口部のマスク上方に縫い付けていることにあり、これは製造方法が難しく且つコストが高くつくばかりか、異なる人の顔の凹凸に合わせ難く、その結果気密性に欠けることから細かな分子構造のダスト、及びウィルスや細菌を阻隔することが困難である。
【０００４】
本考案は上述の欠点に鑑みてなされたもので、製造が容易且つ装着時の気密性を効果的に高めることのできる目鼻口用マスクの構造を提供することを目的とする。
【課題を解決するための手段】
【０００５】
前記目的を達成するため本考案による目鼻口用マスクの構造は、透明且つ可撓性を有するバイザー周縁を接着剤等によりゴーグル外周に貼設し、更に目鼻と口周囲に対し気密に装着して効果的にウィルス等が阻隔されるよう、ゴーグルの外周の表面上に可塑性を有する金属片を貼設したことを特徴とする。
【考案の効果】
【０００６】
本考案によると、ゴーグルを装着した際の気密性を高めること、並びに殺菌効果を提供することができる効果を有する。
【考案を実施するための最良の形態】
【０００７】
以下、図面を参照して本考案の実施例を説明する。
【実施例】
【０００８】
図１及び２に示すように、本考案一実施例のマスクの構造は、濾過材により形成された口鼻マスク部１０及びその両側に接続連結されたバンド１２を有し、前記口鼻マスク部１０上縁に一体に延設したゴーグル２０を設けている。前記ゴ゛―グル２０中央には、穿孔２２が設けられ、このゴーグル２０の外側にはバンド２４が接続されている。また、可撓性を有する透明のバイザー３０は、その周縁が前記穿孔２２の孔周縁の外表面或いは内表面に接着されている。更に可塑性を有する金属片４０が、前記ゴーグル２０外周における延伸縁２３の所望部位の表面上に接着されている。
【０００９】
上述したように、前記金属片４０は可塑性を有することから、前記ゴーグル２０の周縁の延伸辺２３を、装着することで使用者の顔の皮膚５０表面上に密着することができる。また、前記バイザー３０の表面には、二酸化チタン（TiO2）を主材料とした光触媒による膜３３が塗布或いは鍍金されている。
【００１０】
図３及び４に示すように、前記ゴーグル２０においては、前記バイザー３０を主体とし、該バイザー３０は0．05〜0．3m／m厚の透明且つ可撓性を有するプラスティック片とすることが最も好ましく、前記バンド１２，２４はそれぞれ使用者の後頭部に掛けられ、該ゴーグル２０は人の目の周囲や鼻の上方の皮膚５０上に対応したものとすると同時に、該ゴーグル２０の軟性パッド２１で肌５０に対する密着性を更に高めることが可能である。
【００１１】
また、可撓性を有し且つ透明なバイザー３０は、人の目の周囲の形状に合わせて円弧形を呈したものとし、該ゴーグル２０が目から外部へ突出した形にしており、よって本考案の実施例のマスクは、グラス６０のテンプル６６を耳部５５にかけたまま使用することも可能である
図４に示すように、前記バイザー３０は、更に一層の光触媒塗料を塗布或いは鍍金することによる膜３３を形成してもよい。この膜３３は、例えば二酸化チタン（TiO2）元素を主材料とした塗料とし、該塗料を膜状でバイザー３０の表面上に付着させるため、該バイザー３０の提供する機能には影響を及ぼさない。前記バイザー３０表面と光とが接触するときに光触媒による化学反応と電気エネルギ反応とが生じ、ウィルスや細菌などを滅菌することが可能である。  
また、前記バイザー３０や金属片４０及びゴーグル２０表面の連結は、接着剤により粘着するため、作業が簡単且つ迅速に行うことができる。更に、前記金属片４０が貼設される延伸辺２３の厚さは、薄めに設定することにより、該延伸辺２３とゴーグル２０の肌５０に対する密着性を高めることが可能である。
【図面の簡単な説明】
【００１２】
【図１】本考案の一実施例に係るマスクの立体分解図である。
【図２】本考案の一実施例に係るマスクの平面図である。
【図３】本考案の一実施例における断面図である。
【図４】本考案の一実施例におけるゴーグル断面拡大図である。
【図５】本考案のもう一つの実施例に係る断面図である。
【符号の説明】
【００１３】
１０：  口鼻マスク部
１２，２４：バンド
２０：ゴーグル
２１：軟性パッド
２２：穿孔
２３：延伸辺
３０：バイザー
３３：膜
４０：金属片
５０：皮膚
５５：耳部
６０：グラス
６６：テンプル
代理人    弁理士    伊藤  進
【図１】
0003104794.tif 000003
【図２】
0003104794.tif 000004
【図３】
0003104794.tif 000005
【図４】
0003104794.tif 000006
【図５】
0003104794.tif 000007